(57)【要約】【課題】  複数枚の紙幣のうち一部を抜き取ることができ、紙幣の抜き取りが容易であるマネークリップを提供することにある。【解決手段】  弾性板材を略Ｕ字形で波形に折曲したクリップ状のクリップ本体と、磁石を有する板材で磁石の磁性によりクリップ本体に着脱可能なフェイス部材とを備え、クリップ本体に紙幣の一端を挟持し、紙幣の他端をクリップ本体方向に折り返した後、フェイス部材を紙幣の他端付近に配設し、紙幣をクリップ本体との間で挟持した状態でフェイス部材をクリップ本体に装着することを特徴とする。【選択図】図５
2007137009.tif 000002
【特許請求の範囲】
【請求項１】
弾性板材を略Ｕ字形で波形に折曲したクリップ状のクリップ本体と、
磁石を有する板材で該磁石の磁性により該クリップ本体に着脱可能なフェイス部材とを備え、
該クリップ本体に紙幣の一端を挟持し、該紙幣の他端を該クリップ本体方向に折り返した後、
該フェイス部材を該紙幣の他端付近に配設し、該紙幣を該クリップ本体との間で挟持した状態で該フェイス部材を該クリップ本体に装着することを特徴とするマネークリップ。
【請求項２】
前記フェイス部材が、前記クリップ本体の表裏両方の外周面に装着可能であることを特徴とする請求項１記載のマネークリップ。
【請求項３】
前記フェイス部材の一端が、前記クリップ本体の略Ｕ字形の折曲部に沿うように湾曲することを特徴とする請求項１又は請求項２記載のマネークリップ。
【請求項４】
前記フェイス部材が、前記クリップ本体と面するのと反対の面に意匠面を有することを特徴とする請求項１〜請求項３のいずれかに記載のマネークリップ。
【発明の詳細な説明】
【技術分野】
【０００１】
本発明は、紙幣を挟持するマネークリップに関する。
【背景技術】
【０００２】
従来より、財布とは別に、紙幣だけを束ねて折り曲げてポケットに入れるに際し、クリップ状のマネークリップが用いられてきた。このマネークリップは、弾性板材を略Ｕ字形で波形に折曲したクリップ状のものである。例えば、特許文献１に示すものがある。従来のマネークリップでは、あらかじめ２つに折り曲げた紙幣を折り曲げた状態のままマネークリップで挟んでいる。
【特許文献１】実開平６−３４９８０号公報
【発明の開示】
【発明が解決しようとする課題】
【０００３】
しかしながら、従来のマネークリップでは、挟んだ紙幣の一部を抜き取りたい場合でも、一旦すべての紙幣を引き抜く必要があり、紙幣を抜き取る手間が煩雑である。
【０００４】
本発明は、このような事情に鑑みてなされたもので、複数枚の紙幣のうち一部を抜き取ることができ、紙幣の抜き取りが容易であるマネークリップを提供することにある。
【課題を解決するための手段】
【０００５】
請求項１記載のマネークリップは、弾性板材を略Ｕ字形で波形に折曲したクリップ状のクリップ本体と、磁石を有する板材で磁石の磁性によりクリップ本体に着脱可能なフェイス部材とを備え、クリップ本体に紙幣の一端を挟持し、紙幣の他端をクリップ本体方向に折り返した後、フェイス部材を紙幣の他端付近に配設し、紙幣をクリップ本体との間で挟持した状態でフェイス部材をクリップ本体に装着することを特徴とする。
【０００６】
請求項２記載のマネークリップは、フェイス部材が、クリップ本体の表裏両方の外周面に装着可能であることを特徴とする。
【０００７】
請求項３記載のマネークリップは、フェイス部材の一端が、クリップ本体の略Ｕ字形の折曲部に沿うように湾曲することを特徴とする。
【０００８】
請求項４記載のマネークリップは、フェイス部材が、クリップ本体と面するのと反対の面に意匠面を有することを特徴とする。
【発明の効果】
【０００９】
請求項１の発明によれば、クリップ本体が紙幣の一端のみを挟持していることから、クリップ本体に紙幣を挟んだまま複数枚の紙幣のうち一部を抜き取ることができ、紙幣の抜き取りが容易である。
【００１０】
請求項２の発明によれば、フェイス部材が、クリップ本体の表裏両方の外周面に装着可能であることから、紙幣をクリップ本体から抜き取る場合、フェイス部材をクリップ本体の紙幣を挟んでしまわない面に装着することが可能で、紙幣の抜き差しのときフェイス部材が邪魔にならず、紙幣の抜き差しが容易である。
【００１１】
請求項３の発明によれば、フェイス部材の一端がクリップ本体の略Ｕ字形の折曲部に沿うように湾曲することから、フェイス部材がクリップ本体から突出しにくく、紙幣の抜き差しのときフェイス部材が邪魔にならず、紙幣の抜き差しが容易である。
【００１２】
請求項４の発明によれば、フェイス部材がクリップ本体と面するのと反対の面に意匠面を有することから、美的外観にすぐれたマネークリップを提供できる。
【発明を実施するための最良の形態】
【００１３】
以下、本発明の形態について図面を参照しながら具体的に説明する。図１は、本発明に係るマネークリップの一例を示す斜視図である。図２は、同マネークリップのフェイス部材の背面を示す斜視図である。図３は、同マネークリップの縦断面図である。図４は、同マネークリップの使用の様子を示す説明図である。図５は、同マネークリップのフェイス部材の使用の様子を示す説明図である。図６は、同マネークリップのフェイス部材の他の使用の様子を示す説明図である。図７は、同マネークリップの使用の様子を示す説明図である。
【００１４】
本実施例のマネークリップ１は、財布とは別に、紙幣だけを束ねて折り曲げてポケットに入れるに際し用いるものである。マネークリップ１は、クリップ本体２０とフェイス部材１０とから構成されている。クリップ本体２０は、弾性板材を略Ｕ字形で波形に折曲したクリップ状のものである。クリップ本体２０の略Ｕ字形に曲がった部分が折曲部２１であり、波形に曲がった一端と平らな端部付近とが接近し挟持部２２を形成している。クリップ本体２０は、弾性板材で作られていることから、挟持部２２は弾性をもって隙間が開いたり閉じたりする。尚、クリップ本体２０の材質は、後述するフェイス部材１０の磁石１５が張り付くものであればよい。
【００１５】
フェイス部材１０は、板材で、一端がクリップ本体２０の折曲部２１の外周の一部にフィットする形状に湾曲する湾曲部１３となっている。フェイス部材１０の表面は意匠面１１となっており、各種デザインのペイントが施されたり、シールやステッカー等のシート状の意匠を形成する部材が貼付されたりしている。また、フェイス部材１０の裏面１２には、磁石１５が埋め込まれている。尚、フェイス部材１０の素材は特に限定しないが、耐久性等を考慮すると金属や樹脂が望ましい。また、本実施例ではフェイス部材１０に磁石１５を埋め込んでいるが、フェイス部材１０自体を磁性を有する材料でつくることも可能である。
【００１６】
次に本実施例のマネークリップ１の使用方法を説明する。まず、紙幣Ｃを挟持していない状態を図１に示している。通常の状態では、図１に示すようにフェイス部材１０をクリップ本体２０に磁石１５の力で貼り付けておく。この図１の状態から、まず、フェイス部材１０をクリップ本体２０から取り外す。そして、図４に示すように、複数枚重ねた紙幣Ｃの一端を、クリップ本体２０の挟持部２２で挟むようにクリップ本体２０の挿入する。
【００１７】
次に、紙幣Ｃの他端をクリック本体２０の折曲部２１方向に２つ折りに折り曲げていく。そして、図５に示すように、クリップ本体２０の上に折り重なった紙幣Ｃの他端の上からフェイス部材１０を乗せて、フェイス部材１０をクリップ本体２０に磁石１５の力で固定させる。このことにより、紙幣Ｃの一端がクリップ本体２０の挟持部２２に挟まれ、他端がクリップ本体２０とフェイス部１０の裏面との間に挟まれ、紙幣Ｃがマネークリップ１に挟持される。
【００１８】
マネークリップ１に挟持された紙幣Ｃをはずす場合には、まず、フェイス部材１０をクリップ本体２０から引きはがす。そして、はずしたフェイス部材１０を紙幣Ｃが接していない側のクリップ本体２０の面に、磁石１５の力で固定させる。そして、図７に示すように、紙幣Ｃの他端を折り戻して紙幣Ｃを平らにして、必要な枚数の紙幣Ｃをクリップ本体２０から引き抜くようにする。再び紙幣Ｃをマネークリップ１に挟持させるには、フェイス部材１０をクリップ本体２０から取り外し、上述の通り紙幣Ｃを折り曲げて図５に示すようにフェイス部材１０で固定する。
【００１９】
以上のように、本実施例のマネークリップ１によれば、クリップ本体２０が紙幣Ｃの一端のみを挟持していることから、クリップ本体２０に紙幣Ｃを挟んだまま複数枚の紙幣のうち一部を抜き取ることができ、紙幣Ｃの抜き取りが容易である。
【００２０】
また、フェイス部材１０が、クリップ本体２０の表裏両方の外周面に装着可能であることから、紙幣Ｃをクリップ本体２０から抜き取る場合、フェイス部材１０をクリップ本体２０の紙幣を挟んでしまわない面に装着することが可能で、紙幣Ｃの抜き差しのときフェイス部材１０が邪魔にならず、紙幣Ｃの抜き差しが容易である。
【００２１】
さらに、フェイス部材１０の一端がクリップ本体の略Ｕ字形の折曲部２１に沿うように湾曲する湾曲部１３になっていることから、フェイス部材１０がクリップ本体２０から突出しにくく、紙幣Ｃの抜き差しのときフェイス部材１０が邪魔にならず、紙幣Ｃの抜き差しが容易である。
【００２２】
さらに、フェイス部材１０がクリップ本体２０と面するのと反対の面に意匠面１１を有することから、美的外観にすぐれたマネークリップ１を提供できる。
【産業上の利用可能性】
【００２３】
以上のように、本発明は、クリップ本体に紙幣を挟んだまま複数枚の紙幣のうち一部を抜き取ることができ、紙幣の抜き取りが容易なマネークリップに適用できる。
【図面の簡単な説明】
【００２４】
【図１】本発明に係るマネークリップの一例を示す斜視図である。
【図２】同マネークリップのフェイス部材の背面を示す斜視図である。
【図３】同マネークリップの縦断面図である。
【図４】同マネークリップの使用の様子を示す説明図である。
【図５】同マネークリップのフェイス部材の使用の様子を示す説明図である。
【図６】同マネークリップのフェイス部材の他の使用の様子を示す説明図である。
【図７】同マネークリップの使用の様子を示す説明図である。
【符号の説明】
【００２５】
１・・・・マネークリップ
１０・・・フェイス部材
１１・・・意匠面
１３・・・湾曲部
１５・・・磁石
２０・・・クリップ本体
２１・・・折曲部
２２・・・挟持部
【図１】
2007137009.tif 000003
【図２】
2007137009.tif 000004
【図３】
2007137009.tif 000005
【図４】
2007137009.tif 000006
【図５】
2007137009.tif 000007
【図６】
2007137009.tif 000008
【図７】
2007137009.tif 000009